(57)【要約】【課題】受信側の無線機で出力する音声の音量を、送信側の無線機から制御する際、ユーザの操作性を向上させる技術を実現すること。【解決手段】無線送信を行う送信部１６と、相手側無線機で再生されるべき音量を指示する音量データが予め記憶されたＲＡＭ１０Ａと、入力音声に応じた音声信号を供給するマイクロホン１３と、送信の開始を指示操作するためのＰＴＴ１２と、ＰＴＴ１２により送信開始の指示があったとき、ＲＡＭ１０Ａから音量データを読み出し、当該読み出した音量データを音声信号とともに送信部１６に送信させる制御部１０と、を備える。【選択図】図２
2010154436.tif 000002
【特許請求の範囲】
【請求項１】
相手側無線機と無線通信する無線機において、
無線送信を行う送信部と、
前記相手側無線機で再生されるべき音量を指示する音量データが予め記憶された記憶部と、
入力音声に応じた音声信号を供給するマイクロホンと、
送信の開始を指示操作するための指示操作部と、
前記指示操作部により送信開始の指示があったとき、前記記憶部から音量データを読み出し、当該読み出した音量データを前記音声信号とともに前記送信部に送信させる制御部と、
を備えることを特徴とする無線機。
【請求項２】
相手側無線機から送信された無線信号を受信する受信部と、前記無線信号を復調する復調部と、その復調信号に含まれる音声信号を再生するスピーカと、を備え、
前記制御部は、前記復調信号に音量データが含まれている場合に、当該音量データに基づいて前記スピーカからの再生音量を調節することを特徴とする請求項１に記載の無線機。
【請求項３】
請求項１に記載の無線機と、
前記無線機から送信された無線信号を受信する受信無線機と、を備え、
前記受信無線機は、
前記送信部から送信された無線信号を受信する受信部と、
前記無線信号を復調する復調部と、
前記復調部により復調された復調信号に含まれる音声信号を再生するスピーカと、
前記復調信号に音量データが含まれている場合に、当該音量データに基づいて前記スピーカからの再生音量を調節させる音量調節部と、
を備えることを特徴とする無線通信システム。
【請求項４】
相手側無線機と無線交信する無線機の無線通信方法において、
送信部が、無線送信を行う工程と、
記憶部が、前記相手側無線機で再生されるべき音量を指示する音量データを予め記憶する工程と、
マイクロホンが、入力音声に応じた音声信号を供給するマイクロホンと、
送信の開始を指示操作するための指示操作部する工程と、
指示操作部が、送信の開始指示操作を受け付ける工程と、
制御部が、前記指示操作部により送信開始の指示があったとき、前記記憶部から音量データを読み出し、当該読み出した音量データを前記音声信号とともに前記送信部に送信させる工程と、
を含むことを特徴とする無線通信方法。
【発明の詳細な説明】
【技術分野】
【０００１】
本発明は、無線機、無線通信システム及び無線通信方法に関する。
【背景技術】
【０００２】
近年、無線通信を行う無線機の制御に関する技術が知られている。例えば、受信側の無線機で出力する音声の音量を、送信側の無線機から制御する技術が知られている（例えば、特許文献１参照）。
【０００３】
上記特許文献１において、送信側の無線機のユーザは、先ず、音量データを手入力する。そして、ＰＴＴ（プレストークスイッチ）を押下し、ＰＴＴを押下した状態でマイクロホンに音声を入力する。そして、手入力された音量データとマイクロホンに入力された音声とが受信側の無線機に送信される。受信側の無線機は、音量データと音声とを受信し、受信した音声データに基づいて音声を出力（再生）する。
【特許文献１】特開平１０−０９３４６３号公報
【発明の開示】
【発明が解決しようとする課題】
【０００４】
しかしながら、上記特許文献１の技術では、送信側の無線機のユーザは、音量データの送信を開始する前に、受信側の無線機のユーザに聞かせたい音量データを手入力により設定しなければならない。このため、送信側の無線機のオペレータは手間を要していた。
【０００５】
本発明の課題は、受信側の無線機で出力する音声の音量を、送信側の無線機から制御する際、ユーザの操作性を向上させる技術を実現することである。
【課題を解決するための手段】
【０００６】
上記課題を解決するため、請求項１に記載の発明の無線機は、
相手側無線機と無線通信する無線機において、
無線送信を行う送信部と、
前記相手側無線機で再生されるべき音量を指示する音量データが予め記憶された記憶部と、
入力音声に応じた音声信号を供給するマイクロホンと、
送信の開始を指示操作するための指示操作部と、
前記指示操作部により送信開始の指示があったとき、前記記憶部から音量データを読み出し、当該読み出した音量データを前記音声信号とともに前記送信部に送信させる制御部と、
を備えることを特徴とする。
【０００７】
請求項２に記載の発明は、請求項１に記載の無線機において、
相手側無線機から送信された無線信号を受信する受信部と、前記無線信号を復調する復調部と、その復調信号に含まれる音声信号を再生するスピーカと、を備え、
前記制御部は、前記復調信号に音量データが含まれている場合に、当該音量データに基づいて前記スピーカからの再生音量を調節することを特徴とする。
【０００８】
請求項３に記載の発明の無線通信システムは、
請求項１に記載の無線機と、
前記無線機から送信された無線信号を受信する受信無線機と、を備え、
前記受信無線機は、
前記送信部から送信された無線信号を受信する受信部と、
前記無線信号を復調する復調部と、
前記復調部により復調された復調信号に含まれる音声信号を再生するスピーカと、
前記復調信号に音量データが含まれている場合に、当該音量データに基づいて前記スピーカからの再生音量を調節させる音量調節部と、
を備えることを特徴とする。
【０００９】
請求項４に記載の発明の無線通信方法は、  
相手側無線機と無線交信する無線機の無線通信方法において、
送信部が、無線送信を行う工程と、
記憶部が、前記相手側無線機で再生されるべき音量を指示する音量データを予め記憶する工程と、
マイクロホンが、入力音声に応じた音声信号を供給する工程と、
指示操作部が、送信の開始指示操作を受け付ける工程と、
制御部が、前記指示操作部により送信開始の指示があったとき、前記記憶部から音量データを読み出し、当該読み出した音量データを前記音声信号とともに前記送信部に送信させる工程と、
を含むことを特徴とする。    
【発明の効果】
【００１０】
本発明によれば、受信側の無線機で出力する音声の音量を、送信側の無線機から制御する際、ユーザの操作性を向上させる技術を実現することができる。
【発明を実施するための最良の形態】
【００１１】
以下、添付図面を参照して本発明に係る実施の形態を詳細に説明する。ただし、発明の範囲は、図示例に限定されない。
【００１２】
図１〜図３を参照して、本発明に係る実施の形態を説明する。図１に本実施の形態に係る無線通信システム１００の概略構成を示す。無線通信システム１００は、無線機１Ａ，１Ｂを備えて構成される。無線機１Ａ，１Ｂは相互に無線交信を行う。
【００１３】
次に、図２を参照して、無線機１Ａ，１Ｂの内部構成について説明する。無線機１Ａ，１Ｂの内部構成はそれぞれ同様である。以下、無線機１Ａを代表して説明する。無線機１Ａは、相手側無線機（無線機１Ｂ）に音声及び音量データを無線信号として送信する機能を有し、且つ、相手側無線機（無線機１Ｂ）から送信された無線信号を受信する機能を有するものとして説明する。
【００１４】
図２に示すように、無線機１Ａは、制御部１０と、表示部１１と、指示操作部としてのＰＴＴ１２と、マイクロホン１３と、変調部１４と、増幅部１５と、送信部１６と、受信部１７と、復調部１８と、増幅部１９と、スピーカ２０と、アンテナＡＮＴと、を備えて構成される。
【００１５】
制御部１０は、無線機１Ａの各部を制御する。制御部１０は、ＣＰＵ（Central  Processing Unit）、ＲＯＭ（Read Only Memory）（いずれも図示省略）、記憶部としてのＲＡＭ（Random Access Memory）１０Ａ等を備え、無線機１Ａの各部を制御する。制御部１０において、ＲＯＭに記憶されたプログラムがＲＡＭ１０Ａに展開され、ＲＡＭ１０Ａに展開されたプログラムとＣＰＵとの協働で各種処理が実行される。
【００１６】
具体的には、制御部１０は、後述する送信プログラムとの協働により、ＰＴＴ１２により送信開始の指示があったとき、ＲＡＭ１０Ａから音量データを読み出し、当該読み出した音量データを音声信号とともに送信部１６に送信させる。また、制御部１０は、後述する受信プログラムとの協働により、無線機１Ｂから受信した無線信号を復調した復調信号に音量データが含まれている場合、当該音量データに基づいてスピーカ２０からの再生音量を調節する。
【００１７】
ＲＡＭ１０Ａは、揮発性のメモリである。ＲＡＭ１０Ａは、実行される各種プログラムやこれら各種プログラムに係るデータ等を格納するワークエリアを有する。また、ＲＡＭ１０Ａには、無線機１Ｂで再生されるべき音量を示す音量データが予め記憶されている。ＲＡＭ１０Ａに記憶された音量データ（予め記憶された音量データ）は、無線機１Ｂで出力される音声を聴視するのに十分な音量データである。
【００１８】
ここで、予め記憶された音量データは、状況に合わせた音量データが設定（記憶）される。例えば、無線機１Ｂが使用される時間帯（例えば、昼間か深夜か）、場所（例えば、学校の教室か工場か）、無線機１Ａ，１Ｂのジャンル（例えば、ポータブル用の無線機か車載機用の無線機か）、スピーカ２０の最大出力音量等によって、音量データが設定される。音量データの設定は、ソフトウエア（例えば、設定周波数（送信周波数）等を無線機に書き込むためのソフトウエア等）を用いてプログラムされる。このとき、ユーザ自身が音量データの設定を行う場合は、設定のためのメニュー画面が表示部１１に表示され、当該メニュー画面に従って音量データの設定が行われる。また、ソフトウエアを用いて設定することにより、一度音量データを設定すれば、毎回音量データを設定する手間を省くことができる。
【００１９】
表示部１１は、液晶表示パネル等により構成され、ＣＰＵから入力される各種情報を表示する。
【００２０】
ＰＴＴ１２は、送信開始の指示操作を受け付ける。具体的には、ＰＴＴ１２は、ユーザから送信開始の指示操作を受け付けると、送信開始の指示信号を制御部１０に出力する。
マイクロホン１３は、入力音声に応じた音声信号を変調部１４に供給する。具体的には、ユーザによりＰＴＴ１２が押下された状態で、マイクロホン１３に入力音声が入力されると、マイクロホン１３は、当該入力された入力音声に応じた音声（音声信号）を変調部１４に供給する。
【００２１】
変調部１４は、ＲＡＭ１０Ａに記憶された音量データ及び音声を重畳し（音量データと音声との重畳信号を生成し）、重畳信号を所定の周波数に変調した変調信号を生成する。そして、変調部１４は、変調信号を増幅部１５に出力する。
【００２２】
増幅部１５は、変調信号を増幅した増幅信号を生成し、生成した増幅信号を送信部１６に出力する。送信部１６は、増幅信号を無線信号としてアンテナＡＮＴを介して無線機１Ｂに送信する。
【００２３】
受信部１７は、アンテナＡＮＴを介して、無線機１Ｂから送信された無線信号を受信する。そして、受信部１７は、受信した無線信号を復調部１８に出力する。復調部１８は、無線信号を復調した復調信号を生成する。そして、復調部１８は、復調信号に含まれる音声信号（音声）を増幅部１９に出力し、復調信号に含まれる音量信号（音量データ）を制御部１０に出力する。
【００２４】
増幅部１９は、制御部１０の指示に基づいて、入力された音声を増幅する。具体的には、制御部１０からの音量データの指示に基づいて、入力された音声を増幅する（音声の増幅量を調整する）。また、増幅部１９は、増幅した音声をスピーカ２０に出力する。スピーカ２０は、入力された音声を再生（出力）する。
【００２５】
また、変調部１４及び復調部１８では、ＭＳＫ（Minimum shift keying）方式、ＣＴＣＳＳ（Continuous Tone Controlled Squelch System）、ＤＣＳ（Digital Code Squelch）、ＤＴＭＦ（Dual Tone Multiple Frequency）、２−ＴＯＮＥ、５−ＴＯＮＥ等の様々なシグナリング方式が適用される。
【００２６】
次に、無線機１Ａの動作について説明する。先ず、図３（Ａ）を参照して、無線機１Ａにおいて実行される送信処理について説明する。送信処理は、無線機１Ｂに無線信号を送信する処理である。
【００２７】
例えば、ユーザによりＰＴＴ１２が押下されたことをトリガとして、ＲＯＭから読み出されて適宜ＲＡＭ１０Ａに展開された送信プログラムと、ＣＰＵとの協働で送信処理が実行される。
【００２８】
先ず、通話が開始される（ステップＳ１）。具体的には、ＰＴＴ１２が押された状態において、マイクロホン１３に入力音声が入力されることにより通話が開始される。そして、ＲＡＭ１０Ａから音量データが読み出され、当該読み出された音量データ及び音声が無線信号として送信される（ステップＳ２）。具体的には、変調部１４により、音量データ及び音声の重畳信号を所定の周波数に変調した変調信号が生成される。そして、増幅部１５により変調信号を増幅した増幅信号が生成される。そして、送信部１６により、増幅信号が無線信号として送信される。ステップＳ２の実行後、送信処理は終了される。
【００２９】
次に、無線機１Ａで実行される受信処理について説明する。受信処理は、無線機１Ｂから受信した無線信号を復調した復調信号に音量データが含まれている場合、当該音量データに基づいてスピーカ２０からの再生音量を調節する処理である。
【００３０】
例えば、無線機１Ｂから送信された音量データ及び音声を含む無線信号が受信開始されたことをトリガとして、ＲＯＭから読み出されて適宜ＲＡＭ１０Ａに展開された受信プログラムと、ＣＰＵとの協働で受信処理が実行される。
【００３１】
先ず、無線機１Ｂから送信された音量データ及び音声を含む無線信号が受信される（ステップＳ３）。そして、音量データに基づいて、ボリュームが上げられる（ステップＳ４）。具体的には、先ず、復調部１８により、ステップＳ３において受信された無線信号を復調した復調信号が生成される。そして、復調部１８により、音量データが制御部１０に出力され、音声が増幅部１９に出力される。そして、制御部１０の指示により、音量データに基づいて、増幅部１９のボリューム（音声の増幅量）が上げられる（調整される）。ステップＳ４の実行後、増幅された音声がスピーカ２０から出力される（ステップＳ５）。ステップＳ５の実行後、受信処理は終了される。
【００３２】
以上、本実施の形態によれば、ＰＴＴ１２により送信開始の指示があったとき、ＲＡＭ１０Ａから予め記憶された音量データを読み出し、当該読み出した音量データを音声信号とともに送信部１６に送信させる。このため、無線機１Ａのユーザは、音声及び音量データを相手側無線機（無線機１Ｂ）に送信する際に、相手側無線機（無線機１Ｂ）で出力する音声の音量データを手入力により設定する必要がない。したがって、受信側の無線機で出力する音声の音量を送信側の無線機から制御する際、ユーザの操作性を向上させることができる。
【００３３】
また、無線機１Ａが相手側無線機（無線機１Ｂ）から無線信号を受信し、当該受信した無線信号を復調した復調信号に音量データが含まれている場合、当該音量データに基づいてスピーカ２０からの再生音量を調節することができる。
【００３４】
また、ＲＡＭ１０Ａに予め記憶された音量データを無線機１Ｂで視聴可能な音量データとすることができるので、無線機１Ａのユーザは、相手側無線機（無線機１Ｂ）で確実に音声を聴取できたか否かを憂慮せずに済む。
【００３５】
また、特定のシグナリング方式（変復調方式）に限定されず変復調を行うため、回路構成や設定の自由度を向上させることができる。
【００３６】
なお、上記実施の形態における記述は、本発明に係る無線機、無線通信システム及び無線通信方法の一例であり、これに限定されるものではない。
【００３７】
例えば、上記実施の形態においては、無線機１Ａは、相手側無線機（無線機１Ｂ）に音声及び音量データを無線信号として送信する機能（送信機能）を有し、且つ、相手側無線機（無線機１Ｂ）から送信された無線信号を受信する機能（受信機能）を有するものとして説明したが、これに限定されるものではない。例えば、無線機１Ａは、送信機能のみを有し、無線機１Ｂが受信機能のみを有する構成としてもよい。この場合、無線機１Ｂが受信無線機として機能し、無線機１Ｂの制御部１０が音量調整部として機能する。
【００３８】
また、例えば、上記実施の形態においては、無線機１Ａは、ＲＡＭ１０Ａに予め記憶された音量データを送信することとしたがこれに限定されるものではない。例えば、無線機１Ａから相手側無線機（無線機１Ｂ）の電源をＯＮ／ＯＦＦする制御信号を送信することとしてもよい。この場合、無線機１Ｂの電源がＯＦＦ時に、無線機１Ａから無線機１Ｂの電源を強制的にＯＮする信号を送信することにより、無線機１Ｂを強制的に電源ＯＮすることが可能となる。
【００３９】
また、例えば、上記実施の形態においては、ＰＴＴ１２を押下した状態でマイクロホン１３に音声を入力し、音量データとマイクロホン１３に入力された音声とが受信側の無線機に送信される構成としたが、送信側の無線機がマイクロホン１３からの音声を検知した場合に送信スイッチが入り送信モードに切り替わり、一定の時間音が発せられないと受信モードに切り替わるＶＯＸ機能を用いてもよい。
【００４０】
また、例えば、緊急時に使用者（ユーザ）の操作などにより他の無線機に緊急信号を通知するエマージェンシーモードが作動している間にのみ音量データを送信する構成としてもよい。
【００４１】
また、上記実施の形態においては、音量データは１つだけ設定（記憶）する構成としたが、２つ以上設定する構成としてもよい、例えば、時間を検知し、昼、夜などの時間帯によって自動的に最適な音量データを設定し、当該設定された音量データを送信する構成としてもよい。具体的には、例えば、昼はより大きい音量データに設定し、夜は小さめの音量データに設定する構成としてもよい。これにより、状況に適した音量を送信することが出来る。
【００４２】
その他、上記実施の形態における無線機１Ａ，１Ｂの細部構成及び詳細動作に関しても、本発明の趣旨を逸脱しない範囲で適宜変更可能である。
【図面の簡単な説明】
【００４３】
【図１】本発明に係る無線通信システムの概略構成図を示す図である。
【図２】無線機の内部構成を示す図である。
【図３】送信処理及び受信処理の流れを示すフローチャートである。
【符号の説明】
【００４４】
１００  無線通信システム
１Ａ，１Ｂ    無線機
１０   制御部
１０Ａ  ＲＡＭ
１１   表示部
１２   ＰＴＴ
１３   マイクロホン
１４   変調部
１５   増幅部
１６   送信部
１７   受信部
１８   復調部
１９   増幅部
２０   スピーカ
ＡＮＴ  アンテナ
【図１】
2010154436.tif 000003
【図２】
2010154436.tif 000004
【図３】
2010154436.tif 000005